(57)【要約】【課題】  シャッターを下げた状態で邪魔になったりイタズラされたりする恐れがなく、またシャッターを上げた状態でシャッター下部を天井から突出させずに目立たなくさせることができるシャッター用ディスプレイ装置を提供する。【解決手段】  建物等に敷設され巻取ロールにより上下動自在な巻き上げ式のシャッター３と、一方向に回転付勢された巻き取り軸６を備えシャッターの前面上部に配設される巻き取り部材５と、巻き取り軸に上端部を固定し下端部をシャッター表面の下部に固定してなるディスプレイシート２からなり、シャッターを下げる際にはディスプレイシートがシャッターに牽引されて巻き取り部材から繰り出されてシャッター表面に並設され、シャッターを上げる際にはディスプレイシートが巻き取り軸に巻き取られて巻き取り部材に収納される。【選択図】図１
2008150781.tif 000002
【特許請求の範囲】
【請求項１】
建物等に敷設され巻取ロールにより上下動自在な巻き上げ式シャッターと、一方向に回転付勢され前記シャッターの前面上部に配設される巻き取り部材と、該巻き取り部材に上端部を固定し下端部を前記シャッター表面の下部に固定してなるシート体からなり、前記シャッターを下げる際にはシート体がシャッターに牽引されて前記巻き取り部材から繰り出されてシャッター表面に並設され、シャッターを上げる際には前記シート体が前記巻き取り部材に巻き取られることを特徴とするシャッター用ディスプレイ装置。
【請求項２】
巻き取り部材はバネ部材により一方向に回転付勢される巻き取り軸を備えることを特徴とする請求項１記載のシャッター用ディスプレイ装置。
【請求項３】
巻き取り部材は巻き取り軸と該巻き取り軸の両端を回動自在に支持してシャッターのガイドレールに固定される軸受け部材とからなることを特徴とする請求項１又は２記載のシャッター用ディスプレイ装置。
【請求項４】
巻き取り部材は巻き取られたシート体の収納部を形成するカバー部材で覆われることを特徴とする請求項１乃至３のいずれかに記載のシャッター用ディスプレイ装置。
【請求項５】
シート体はその上端を巻き取り軸にファスナ部材を用いて着脱自在に固定するとともに、下端をシャッター下部にファスナ部材を用いて着脱自在に固定することを特徴とする請求項１乃至４のいずれかに記載のシャッター用ディスプレイ装置。
【請求項６】
シート体はその表面に文字・絵柄等の宣伝広告用若しくは装飾用の表示体を形成したことを特徴とする請求項１乃至５のいずれかに記載のシャッター用ディスプレイ装置。
【発明の詳細な説明】
【技術分野】
【０００１】
本発明は、店舗等の建物に設置される上下動して開閉するシャッターにおいて、シャッターを下げた状態で人の目にとまりやすいシャッター前面部分が広告宣伝や装飾に利用できることに着目して案出されたものであり、シャッターに各種広告宣伝や装飾に供する機能を付加させることを可能とする取り付け容易なシャッター用ディスプレイ装置に関する。
【背景技術】
【０００２】
従来、建物のシャッターに装飾等を施すためには、シャッター表面にペンキ等で装飾等の表示体を描くことが行われていたが、複数枚の細長いスラットを組み合わせて構成されるシャッターにペンキで表示体を描いても、スラット間の接合部分で表示体が分断されてしまって装飾としての美観は損なわれていた。それに加え、シャッター表面に表示体をペンキで描くことは、手間と費用が掛かるだけでなく、表示体を変更する場合にもその上からペンキで上書きせざるを得ず、さらに多大な時間と費用を要することとなっていた。
そこで、新たなディスプレイ装置として、既存のシャッターの前面にシャッターと別体の装飾等を施したディスプレイシートを位置させるシャッター用ディスプレイ装置が案出されている。このシャッター用ディスプレイ装置は、シャッターの下部にディスプレイシートの巻取装置を配設するとともに、シャッターの上端にディスプレイシートの上端を固定し、シャッターの下降に応じてディスプレイシートを巻取装置から自動的に繰り出す構造としている。このシャッター用ディスプレイ装置は、既存のシャッターに対して容易に設置することができ、シャッター表面に各種広告宣伝や装飾を施すことができる上に、ディスプレイシートを取り替えることで表示体の変更も容易に行えるという従来にない優れたものである。
【特許文献１】特開２００５−９７８３９号公報
【発明の開示】
【発明が解決しようとする課題】
【０００３】
このシャッター用ディスプレイ装置は、通常の建物のシャッターに使用するには何ら問題はないのであるが、唯一地下街等の天井高が低い場所に設置される場合に問題が生じる場合があった。それは、シャッターを上げきっても、シャッター下部に配設した巻取装置がその大きさにより天井内部には入りきれないことからシャッター下部が天井から突出したままの状態となって目立ってしまい、それが外観上問題となる場合があった。また、シャッターを下げた状態では、シャッター下部に巻取装置が出っ張って位置してしまい、これが店内側のショーケースと干渉したり、通行の邪魔になったり、また巻取装置がイタズラされる恐れもあった。
【０００４】
そこで本発明は、この問題を解決すべく、シャッターを下げた状態で邪魔になったりイタズラされたりする恐れがなく、またシャッターを上げた状態でシャッター下部を天井から突出させずに目立たなくさせることができるシャッター用ディスプレイ装置を提供することを目的とする。
【課題を解決するための手段】
【０００５】
前述の目的を達成するため、本発明のシャッター用ディスプレイ装置は、建物等に敷設され巻取ロールにより上下動自在な巻き上げ式シャッターと、一方向に回転付勢され前記シャッターの前面上部に配設される巻き取り部材と、該巻き取り部材に上端部を固定し下端部を前記シャッター表面の下部に固定してなるシート体からなり、前記シャッターを下げる際にはシート体がシャッターに牽引されて前記巻き取り部材から繰り出されてシャッター表面に並設され、シャッターを上げる際には前記シート体が前記巻き取り部材に巻き取られることを特徴とするものである。
【０００６】
また本発明は、巻き取り部材はバネ部材により一方向に回転付勢される巻き取り軸を備えることを特徴とするものである。
【０００７】
また本発明は、巻き取り部材は巻き取り軸と該巻き取り軸の両端を回動自在に支持してシャッターのガイドレールに固定される軸受け部材とからなることを特徴とするものである。
【０００８】
また本発明は、巻き取り部材は巻き取られたシート体の収納部を形成するカバー部材で覆われることを特徴とするものである。
【０００９】
また本発明は、シート体はその上端を巻き取り軸にファスナ部材を用いて着脱自在に固定するとともに、下端をシャッター下部にファスナ部材を用いて着脱自在に固定することを特徴とするものである。
【００１０】
また、シート体はその表面に文字・絵柄等の宣伝広告用若しくは装飾用の表示体を形成したことを特徴とするものである。
【発明の効果】
【００１１】
本発明のシャッター用ディスプレイ装置によれば、建物等に敷設され巻取ロールにより上下動自在な巻き上げ式シャッターと、一方向に回転付勢され前記シャッターの前面上部に配設される巻き取り部材と、該巻き取り部材に上端部を固定し下端部を前記シャッター表面の下部に固定してなるシート体からなり、前記シャッターを下げる際にはシート体がシャッターに牽引されて前記巻き取り部材から繰り出されてシャッター表面に並設され、シャッターを上げる際には前記シート体が前記巻き取り部材に巻き取られることで、シャッターを下げた状態で邪魔になったりイタズラされたりする恐れがなく、またシャッターを上げきった状態ではシャッター下部を天井から突出させなくすることができ、外観上の問題を生じさせることなく、シャッターに各種広告宣伝や装飾を施すことができる。
【００１２】
また、巻き取り部材はバネ部材により一方向に回転付勢される巻き取り軸を備えることで、モータなどによる駆動では必要となる電源が不要となり、その分巻き取り部材をコンパクトで目立たなくさせることができる。
【００１３】
また巻き取り部材は、巻き取り軸と該巻き取り軸の両端を回動自在に支持してシャッターのガイドレールに固定される軸受け部材とからなることで、既存のシャッターに対してシャッター用ディスプレイ装置を簡単に取り付けることができる。
【００１４】
また、巻き取り部材は巻き取られたシート体の収納部を形成するカバー部材で覆われることで、周囲の環境とマッチし美感を備えることができる。
【００１５】
また、シート体はその上端を巻き取り軸にファスナ部材を用いて着脱自在に固定するとともに、下端をシャッター下部にファスナ部材を用いて着脱自在に固定することで、シート体の取り付け・取り外しを容易にし、シート体の変更を簡単に行うことができる。
【発明を実施するための最良の形態】
【００１６】
図１〜図４は、本発明のシャッター用ディスプレイ装置を示し、符号１は本発明のシャッター用ディスプレイ装置を示し、２はターポリンシートやＰＶＣ（ポリ塩化ビニル）シート等の可撓性を有する合成樹脂シートからなり、その表面に文字・絵柄等の宣伝広告用若しくは装飾用の表示体を形成したディスプレイシートであり、必要に応じてその表面に透明なポリエステルフィルムやＰＶＣフィルムをラミネートしたりフッ素樹脂等のコーティングをしたりする防汚加工を施してもよい。３は建物に設置されている細長いスラットを複数枚組み合わせた構造のシャッターであり、その両側は床面から天井までシャッターを上下方向に案内するガイドレール４に係合している。５はバネ材によりディスプレイシート２を巻き取る方向に常に付勢している巻き取り軸６を備え、シャッター３の前面上部に位置するように、両側を軸受け部材７を介してガイドレール４の上部に固定する巻き取り部材である。８は、マグサと称される天井部分である。
【００１７】
図１は、シャッター３を下げた状態を示している。ディスプレイシート２は、下降するシャッター３に牽引されることで、巻き取られている巻き取り部材５の巻き取り軸６から下方に繰り出され、シャッター３を覆ってその前面に配置されることで各種広告宣伝や装飾を施している。
【００１８】
ディスプレイシート２の上端は、巻き取り軸６に対して面状ファスナ（図示せず）を用いて着脱自在に固定されているとともに、巻き取り軸６はディスプレイシート２の表示面を保護すべく、その表示面を内側にして巻き取っている。ディスプレイシート２の下端には面状ファスナ９を配設するとともに、この面状ファスナ９をシャッター３の座板に近い部分に配設した面状ファスナに着脱自在に係合する。さらに、ディスプレイシート２下端の両端を、シャッター３に配設したシート固定部材１０により面状ファスナ９とともに固定している。この面状ファスナ９は、シートのずれ方向にはかなりの力にも耐えることができる一方、端から剥離する方向に付勢することで分離させることができ、着脱可能で貼り直しも容易なものである。このシート固定部材１０は、イタズラなどでディスプレイシート２がシャッター３から容易に剥離することを防ぐものである。
【００１９】
図２は、シャッター３を上げきった状態を示している。シャッター３を上げると、ディスプレイシート２は、巻き取り方向に付勢されている巻き取り軸６に巻き取られていき、巻き取り部材５に収納される。そして、シャッター３を上げきった状態では、シャッター３下縁部は座板も含めて巻き取り部材５の裏に隠れてしまい、シャッター前面からは見えなくなる。
【００２０】
図５及び図６は、本発明のシャッター用ディスプレイ装置の他の実施例を示し、巻き取り部材５がその全体を保護されるべくカバー１１で覆われている状態を示している。このカバー１１により巻き取り軸６を含む巻き取り部材５が正面から見えないように覆われる。言い換えるならば、このカバー１１は巻き取られたディスプレイシート２の収納部を形成している。天井面から突設するシャッター用ディスプレイ装置１の全高は、カバー１１を入れても約１２センチメートルとコンパクトに収まり、したがって天井高の低い地下街などにあっても、美観を損ねる恐れがないものである。
【図面の簡単な説明】
【００２１】
【図１】本発明のシャッター用ディスプレイ装置におけるシャッターを下げた状態を示す説明図であり、（ａ）は正面、（ｂ）は側面を表している。
【図２】本発明のシャッター用ディスプレイ装置におけるシャッターを上げた状態を示す説明図であり、（ａ）は正面、（ｂ）は側面を表している。
【図３】本発明のシャッター用ディスプレイ装置の要部を示す説明図である。
【図４】本発明のシャッター用ディスプレイ装置の要部を示す説明図である。
【図５】本発明のシャッター用ディスプレイ装置の他の実施例を示す説明図である。
【図６】本発明のシャッター用ディスプレイ装置の他の実施例を示す説明図である。
【符号の説明】
【００２２】
１  シャッター用ディスプレイ装置
２  ディスプレイシート
３  シャッター
４  ガイドレール
５  巻き取り部材
６  巻き取り軸
７  軸受け部材
８  マグサ
９  面状ファスナ
１０  シート固定部材
１１  カバー
【図２】
2008150781.tif 000003
【図３】
2008150781.tif 000004
【図４】
2008150781.tif 000005
【図５】
2008150781.tif 000006
【図６】
2008150781.tif 000007
【図１】
2008150781.tif 000008